(57)【特許請求の範囲】
【請求項１】
雨傘から除去された水を一時的に貯留し、貯留した水を外部に排出する雨傘除水機用排水タンクにおいて、該排水タンク内に、前記雨傘の先端部を収容する収容部と、該収容部に落下した水を該排水タンクに排出するポンプ部とを設け、
前記収容部は、
該排水タンクと一体に形成され、略々円錐形状の外側容器と、
該外側容器に重合する略々円錐形状の内側容器とを備え、
前記ポンプ部は、
前記内側容器を前記外側容器から離れる方向に付勢する付勢手段と、
前記内側容器の下部に配置され、該内側容器と前記外側容器との間の空間に連通する通路を開閉する弁機構と、
前記外側容器の上部に形成され、前記内側容器と前記外側容器との間の空間に連通する排水穴とを備えることを特徴とする雨傘除水機用排水タンク。
【請求項２】
雨傘に付着した水を除去する除水ユニットと、該除水ユニットの下方に位置し、該除水ユニットで除去された水を一時的に貯留し、貯留した水を外部に排出する排水タンクとを備える雨傘除水機において、前記排水タンク内に、前記雨傘の先端部を収容する収容部と、該収容部に落下した水を該排水タンクに排出するポンプ部とを設け、
前記収容部は、
前記排水タンクと一体に形成され、略々円錐形状の外側容器と、
該外側容器に重合する略々円錐形状の内側容器とを備え、
前記ポンプ部は、
前記内側容器を前記外側容器から離れる方向に付勢する付勢手段と、
前記内側容器の下部に配置され、該内側容器と前記外側容器との間の空間に連通する通路を開閉する弁機構と、
前記外側容器の上部に形成され、前記内側容器と前記外側容器との間の空間に連通する排水穴とを備えることを特徴とする雨傘除水機。
【発明の詳細な説明】
【０００１】
【発明の属する技術分野】
本発明は、排水タンク及び雨傘除水機に関し、特に、操作性がよく、雨傘の先端部の濡れを確実に防止することができ、排水作業の回数を減らすこと等が可能な雨傘除水機、及びこのような雨傘除水機を構成することのできる排水タンクに関する。
【０００２】
【従来の技術】
従来使用されている雨傘除水機の構造の一例を図８に示す。この雨傘除水機１００は、雨傘１２０の挿入位置が地上から約８０ｃｍの高さにあり、挿入する雨傘１２０の長さは、通常６５ｃｍである。雨傘除水機１００の前後左右の大きさは、約３５ｃｍ×３０ｃｍであり、その中に収容される排水タンク１０１は、２５ｃｍ×２０ｃｍ程度の底面積を備え、有効高さとして約４ｃｍ程度確保することができ、排水タンク１０１の容量は、約２リットル程度となる。
【０００３】
そして、この雨傘除水機１００には、雨傘１２０の先端部１２０ａが排水タンク１０１の内部に侵入して濡れることを防止するため、ストッパー１１３が設けられ、雨傘１２０から自然落下する雫は、排水タンク１０１に落下する。
【０００４】
【発明が解決しようとする課題】
しかし、上記従来の雨傘除水機１００においては、長さが６５ｃｍ程度の雨傘１２０の場合には問題はないが、市場には７５ｃｍの長さの雨傘や、希ではあるが、８０ｃｍの長さの雨傘も出回っているため、そのような雨傘では、上端部が雨傘除水機１００よりはみ出し、すべての雨傘の先端部が排水タンク１０１に浸水しないようにするには、最も長い雨傘の長さと排水タンク１０１の高さとを合わせた高さが必要となり、雨傘除水機１００が大型化するという問題があった。そして、雨傘の操作位置を高くすると、高齢者や子どもにとって操作性が悪くなるという問題があった。
【０００５】
また、第２の問題点として、排水タンク１０１の高さを高くして排水タンク１０１内に雨傘１２０の先端部１２０ａを挿入するように構成すると、排水タンク１０１の水位が高くなった場合には、雨傘１２０を差し込んだ時に雨傘１２０の先端部１２０ａが水に浸ってしまい、雨傘１２０の先端部１２０ａを濡らしてしまうという問題があった。排水タンク１０１内の水が雨傘１２０の先端部１２０ａに接しないような収容部を設けた場合でも、雨傘１２０に付着した雫は、雨傘１２０の先端部１２０ａより落下して収容部に溜まり、いずれは雨傘１２０の先端部１２０ａを濡らしてしまう。この対策として、電動式等の排水ポンプを設置する方式もあるが、排水タンク１０１内の水をユーザにより捨てることとなるため、ケーブル等の操作性が悪化するとともに、ポンプ等の部品コストが増加するという問題もあった。
【０００６】
さらに、第３の問題点として、従来の雨傘除水機１００の排水タンク１０１の容量は、約２リッター程度であるが、雨傘一本から除水される水の量を２０ミリリッターとしても、約１００本で満水になってしまう。これは、１分間に一人の割合で雨傘除水機１００を利用したとすれば、約１．６時間で満水になり、排水タンク１０１の高さが低い場合には、除水された水の収容量が減ってしまうため、ユーザが排水タンク１０１内の水を頻繁に捨てに行かなければならず、煩雑であるという問題があった。
【０００７】
そこで、本発明は、上記従来の雨傘除水機における問題点に鑑みてなされたものであって、装置の大型化を防止しながら略々すべての雨傘に対応することができ、操作性がよく、雨傘の先端部の濡れを確実に防止することができ、排水作業の回数を減らすことが可能な排水タンク及び雨傘除水機を提供することを目的とする。
【０００８】
【課題を解決するための手段】
上記目的を達成するため、請求項１記載の発明は、雨傘から除去された水を一時的に貯留し、貯留した水を外部に排出する雨傘除水機用排水タンクにおいて、該排水タンク内に、前記雨傘の先端部を収容する収容部と、該収容部に落下した水を該排水タンクに排出するポンプ部とを設け、前記収容部は、該排水タンクと一体に形成され、略々円錐形状の外側容器と、該外側容器に重合する略々円錐形状の内側容器とを備え、前記ポンプ部は、前記内側容器を前記外側容器から離れる方向に付勢する付勢手段と、前記内側容器の下部に配置され、該内側容器と前記外側容器との間の空間に連通する通路を開閉する弁機構と、前記外側容器の上部に形成され、前記内側容器と前記外側容器との間の空間に連通する排水穴とを備えることを特徴とする。
【０００９】
そして、請求項１記載の発明によれば、排水タンク内の収容部に雨傘の先端部を収容し、ポンプ部によって収容部に雨傘から落下した水を排水タンクに排水することができるため、排水タンクを含む装置全体の大型化を防止しながら雨傘の先端部の濡れを防止することができる。尚、装置全体の大きさを従来並に維持して排水タンクの容量を大きくした場合には、排水作業の回数を減らすことができ、操作性のよい排水タンクを提供することができる。
また、上記に加え、雨傘を収容部に出し入れすることによって、付勢手段が内側容器と外側容器を接離させ、内側容器と前記外側容器との間の空間に連通する通路を開閉する弁機構を介して外側容器の上部に形成された排水穴から収容部に落下した水を排水タンクに排水することができるため、従来のようなポンプへの電源の供給が不要となり、ケーブルの抜き差し等が不要となるため、構成が簡単で操作性のよい雨傘除水機用排水タンクを提供することができる。
【００１２】
請求項２記載の発明は、雨傘に付着した水を除去する除水ユニットと、該除水ユニットの下方に位置し、該除水ユニットで除去された水を一時的に貯留し、貯留した水を外部に排出する排水タンクとを備える雨傘除水機において、前記排水タンク内に、前記雨傘の先端部を収容する収容部と、該収容部に落下した水を該排水タンクに排出するポンプ部とを設け、前記収容部は、前記排水タンクと一体に形成され、略々円錐形状の外側容器と、該外側容器に重合する略々円錐形状の内側容器とを備え、前記ポンプ部は、前記内側容器を前記外側容器から離れる方向に付勢する付勢手段と、前記内側容器の下部に配置され、該内側容器と前記外側容器との間の空間に連通する通路を開閉する弁機構と、前記外側容器の上部に形成され、前記内側容器と前記外側容器との間の空間に連通する排水穴とを備えることを特徴とする。
【００１３】
請求項２記載の発明によれば、排水タンク内の収容部に雨傘の先端部を収容し、ポンプ部によって収容部に雨傘から落下した水を排水タンクに排出することができるため、雨傘除水機全体の大型化を防止しながら雨傘の先端部の濡れを防止することができる。  尚、雨傘除水機全体の大きさを従来並に維持して排水タンクの容量を大きくした場合には、排水作業の回数を減らすことができ、操作性のよい雨傘除水機を提供することができる。
また、上記に加え、従来のようなポンプへの電源の供給が不要で、ケーブルの抜き差し等が不要となるため、構成が簡単で操作性のよい雨傘除水機を提供することができる。
【００１６】
【発明の実施の形態】
次に、本発明の実施の形態について図面を参照しながら説明する。まず、図１及び図２を参照しながら、本発明にかかる雨傘除水機の全体構成について説明する。
【００１７】
図１に示すように、本発明にかかる排水タンク１は、雨傘除水機４０の下部に配置され、雨傘２０は、雨傘除水機４０の上部より挿入される。本実施例では、従来例と同様に、雨傘２０の挿入位置を地上約８０ｃｍとし、挿入する雨傘２０の長さは、通常６５ｃｍで示している。雨傘除水機４０全体の前後左右の大きさは、約３５ｃｍ×３０ｃｍであり、排水タンク１の底面積は、３０ｃｍ×２５ｃｍ程度で、有効高さが約１５ｃｍ、容積が１１リッターであるが、後述する雨傘先端収容部２の容積を差し引くと約１０リッターの有効容積となる。
【００１８】
図２に示すように、雨傘除水機４０は、上部より、除水ユニット４２と、制御ユニット４４と、排水タンク１とで構成され、雨傘２０は、除水ユニット４２と、制御ユニット４４とを貫通し、排水タンク１に到達する。
【００１９】
除水ユニット４２は、制御ユニット４４内に配置された吸引モータ４７と図示しない吸引パイプにより連結される。除水ユニット４２により回収された水は、図示しない排水口より排水タンク１の上面に設けられたタンク給水口１３（図５参照）より排水タンク１内に排出される。
【００２０】
制御ユニット４４に配置された動作スイッチ４３は、制御ユニット４４に回転自在に保持され、除水ユニット４２を通過した雨傘２０の先端部２０ａの通過を検知し、制御基板４５を介して吸引モータ４７の回転制御を行なう。また、満水センサー４６が、制御ユニット４４の下面において、後述する満水フロート１４と対面する位置に配置される。雨傘除水機４０の上部には、動作ランプ４１が配置される。
【００２１】
次に、本発明にかかる排水タンク１の構成について、図３乃至図５を参照しながら詳細に説明する。
【００２２】
上述のように、雨傘２０の先端部２０ａは、雨傘除水機４０（図１及び図２参照）の中央部を貫通するようにして雨傘除水機４０に挿入され、排水タンク１に到達する。そのため、排水タンク１の中央部には雨傘先端収容部２が配置される。
【００２３】
雨傘先端収容部２は、外側容器３と、内側容器４とを重ねた形で構成される。外側容器３は、排水タンク１の上面と一体に構成され、内面には所定の角度（本実施例の場合には、３°）の傾きを備えたコップ形状で構成される。外側容器３の上部には、排水穴１２が四方に配置される。
【００２４】
内側容器４は、外周面に外側容器３の内周面と略々同じ角度（本実施例の場合には、３°）の傾斜部を備える。これにより、外側容器３に内側容器４を重ねた場合、外側容器３に略々密着する。本実施例の場合には、内側容器４の上端部に押し込み過ぎを防止するための円周方向への鍔部４ａを設け、外側容器３と内側容器４との間に多少の隙間を残す構成としている。また、内側容器４の下部には、吸水穴１１が穿設され、吸水弁６の動作によって開閉自在となっている。
【００２５】
吸水弁６の上面には、雨傘２０の先端部２０ａが接触することによる衝撃から吸水弁６を護るためのダンパー７が設けられ、吸水弁６は、吸水弁スプリング９によって、通常状態では内側容器４の底面との間に隙間が発生するように持ち上げられている。
【００２６】
内側容器４は、スプリング８によって上方に持ち上げられ、上下に移動可能に保持され、挿入ガイド５によって上限位置が規制されている。
【００２７】
挿入ガイド５は、雨傘２０が挿入された場合の案内として機能し、排水タンク１に固定される。
【００２８】
ここで、内側容器４が押し下げられている時には、外側容器３の内周と内側容器４の外周が略々近接し、スプリング８によって内側容器４が持ち上げられている時には、図４に示すように、隙間ａが存在する。ここで、スプリング８と、吸水弁スプリング９のばね定数は、スプリング８の方が吸水弁スプリング９よりも充分に大きく設定される。尚、雨傘２０は、最終的には図６に示す位置まで押し下げられる。
【００２９】
満水フロート１４は、排水タンク１の上面に配置され、回収された水位が上がることによって上方に浮遊し、制御ユニット４４内に配置された満水センサー４６に除々に近接する。
【００３０】
次に、上記構成を有する排水タンクの動作について詳細に説明する。
【００３１】
排水タンク１に落下する水は、大きく別けて、図２に示した除水ユニット４２の働きによって回収された水と、雨傘２０自体から滴り落ちた水の二つに大別される。
【００３２】
ここで、除水ユニット４２によって回収された水は、雨傘先端収容部２の外側に溜まり、雨傘先端収容部２内には侵入しない。雨傘先端収容部２には、雨傘２０を雨傘除水機４０に挿入しようとした時に落下する雫や、除水ユニット４２によって除水される際の振動等によって雨傘２０から落下した水が直接回収される。
【００３３】
図７（ａ）は、雨傘先端収容部２に、雨傘２０の先端部２０ａからの雫が溜まった状態を示す。この例では、雨傘先端収容部２には、斜線部で示した範囲に約１４０ｇの水が溜まっている。ここで、雨の日に、６５ｃｍ長さの雨傘２０に付着する水は、約４０〜５０ｇ程度であり、雨傘先端収容部２に雨傘２０の先端部２０ａから約１０ｇの水が直接落下する。図７（ａ）は、ポンプ機構が動作されない、長さの短い雨傘が続けて使用された場合等に発生する状態を示している。尚、除水ユニット４２によって回収された水の位置は、外側の水面位置までとなっている。
【００３４】
図７（ｂ）は、その後、６５ｃｍ程度の雨傘２０が挿入された状態を示す。６５ｃｍ程度の雨傘２０が挿入されると、まず、雨傘２０の先端部２０ａは、ダンパー７及び吸水弁６を押し下げる。上述のように、吸水弁スプリング９は、スプリング８に対して充分に弱いため、内側容器４と吸水弁６との間の空間がまず塞がれる。この結果、内側容器４の中に溜まっていた水は出口を失うとともに、外側容器３内に溜まった水は、内側容器４への移動が抑制される。
【００３５】
この後も雨傘２０は下降を続けるが、その結果、内側容器４と外側容器３との間に溜まっていた水は、行き場を失い、外側容器３と内側容器４との間に存在していた隙間ａを伝わって上昇して行く。内側容器４の降下に伴って隙間ａは次第に減少するが、最下端に下がった状態でも隙間は存在するため、押し上げられた水は勢いよく上方に排出される。ここで、内側容器４の上端部に設けられた鍔部４ａが上方に排出される水の進行方向を外周方向に変更するように機能する。外側に進行方向を変えられた水は、挿入ガイド５の内側に衝突し、排出穴１２を経て、雨傘先端収容部２の外側に排出される。実験値によれば、この１回の動作により約５０ｇの水が排出され、排水タンク１には、９０ｇの水が残る。
【００３６】
その後、雨傘２０の上昇と同時に、スプリング８により内側容器４も上昇をはじめ、挿入ガイド５によって内側容器４が停止する、次に、吸水弁スプリング９によって吸水弁６及びダンパー７が上昇する。この結果、それまでは塞がれていた吸水穴１１が開き、内側容器４の中に閉じ込められていた水が、外側容器３に落下する。この結果、内側容器４の中に溜まっていた水は排出され、図７（ｃ）に示す状態となり、雨傘２０の先端部２０ａには水が接触しない。
【００３７】
さらに雨傘２０の抜き差し動作を繰り返すことで、その後、排水タンク１に残る水量は６０ｇ、４５ｇと減少し、内側容器４の移動によって押し上げられる水位が外側容器３の排水穴１２に達しなくなるまで排水が繰り返される。このようにして、内側容器４の中にさらに大量の水が溜まっていた場合でも、前述の動作を数回行なうことにより排水することができる。
【００３８】
【発明の効果】
以上説明したように、本発明によれば、装置の大型化を防止しながら略々すべての雨傘に対応することができ、操作性がよく、雨傘の先端部の濡れを確実に防止することができ、排水作業の回数を減らすことが可能な排水タンク及び雨傘除水機を提供することができる。
【図面の簡単な説明】
【図１】本発明にかかる雨傘除水機の一実施の形態を示す斜視図である。
【図２】図１の雨傘除水機の概略断面図である。
【図３】本発明にかかる排水タンクの一実施の形態を示す断面図である。
【図４】図３の排水タンクの雨傘先端収容部の詳細断面図である。
【図５】図３の排水タンクの概略構成を示す斜視図である。
【図６】図３の排水タンクの動作状態を示す断面図である。
【図７】図３の排水タンクの一連の動作状態を示す断面図である。
【図８】従来の雨傘除水機の一例を示す概略断面図である。
【符号の説明】
１      排水タンク
２      雨傘先端収容部
３      外側容器
４      内側容器
４ａ    鍔部
５      挿入ガイド
６      吸水弁
７      ダンパー
８      スプリング
９      吸水弁スプリング
１１    吸水穴
１２    排水穴
１３    タンク給水口
１４    満水フロート
２０    雨傘
２０ａ  先端部
４０    雨傘除水機
４１    動作ランプ
４２    除水ユニット
４３    動作スイッチ
４４    制御ユニット
４５    制御基板
４６    満水センサー
４７    吸引モータ
【図１】
0003683240.tif 000002
【図２】
0003683240.tif 000003
【図３】
0003683240.tif 000004
【図４】
0003683240.tif 000005
【図５】
0003683240.tif 000006
【図６】
0003683240.tif 000007
【図７】
0003683240.tif 000008
【図８】
0003683240.tif 000009